(57)【要約】【課題】  本体カバーへの取付を堅固にし、カラーが振動音などを生じないようにすること。また、カバーに力が加わった場合にも本体カバーとカラーとの間に隙間が生ずることなく、美観を損ねがたくすること。【解決手段】  ハンドル４，５の取付部位を覆うとともに本体カバー２６に対して固定されるカラー２２，２４の取付構造２０において、カラー２２，２４の長手方向の端部寄りに係止爪２８を設け、上部カバー４０に、係止爪２８が係止される係止孔３８を設けた。    【選択図】    図２
2008231874.tif 000002
【特許請求の範囲】
【請求項１】
水栓ハンドルの取付部位を覆うとともに本体カバー又は水栓本体に対して固定されるカラーの取付構造であって、
カラー又は本体カバーのいずれか一方に係止爪が設けられ、
他方に、該係止爪が係止される係止孔が設けられたことを特徴とするカバー水栓のカラーの取付構造。
【請求項２】
前記係止爪又は係止孔がカラーの長手方向の端部に設けられたことを特徴とする請求項１に記載のカバー水栓のカラーの取付構造。
【発明の詳細な説明】
【技術分野】
【０００１】
本発明は、カバー水栓のカラーの取付構造に関する。
【背景技術】
【０００２】
水栓本体がカバーで覆われているカバー水栓において、従来、水栓ハンドルの取付部位を覆う部位のカバー（通称「カラー」と呼ばれる）は、水栓ハンドルと水栓本体とにより挟持固定されることにより、本体カバー又は水栓本体に対して取り付けられている（例えば、特許文献１参照。）。
【０００３】
【特許文献１】特開平１１−２５６６３７号公報（図１、図２）
【発明の開示】
【発明が解決しようとする課題】
【０００４】
従来のカラーの取付構造では、カラーは水栓ハンドルと水栓本体とにより挟持固定されているだけであるため、水栓ハンドルから離れた部位の固定が十分ではなく、大容量吐水時などには共振を起こして本体カバーなどと接触し振動音を発するなどの問題を生じていた。特に、カラーの長手方向の先端部分においてこのような問題が顕著に生じていた。また、固定が十分でないために、カラーまたは本体カバーに力が加わった場合に、両部材の間に隙間が生じやすいという問題もあった。
【０００５】
本発明は上記した従来のカラーの取付構造の問題点を解消するものであり、本体カバーへの取付を堅固にし、振動音などを生じないようにすることのできるカラーの取付構造の提供を目的とする。また、本体カバーへの取付を堅固にすることにより、カバーに力が加わった場合にも本体カバーとカラーとの間に隙間が生ずることなく、美観を損ねがたくすることのできるカラーの取付構造の提供を目的とする。
【課題を解決するための手段】
【０００６】
以上の課題を解決するために、本発明の採った手段を以下に説明する。本発明のカラーの取付構造は、水栓ハンドルの取付部位を覆うとともに本体カバー又は水栓本体に対して固定されるカラーの取付構造であって、カラー又は本体カバーのいずれか一方に係止爪が設けられ、他方に、該係止爪が係止される係止孔が設けられたことを特徴とするカラーの取付構造（請求項１）である。
【０００７】
このような係止爪及び係止穴を設けることにより、本体カバーに対して、より堅固にカラーを固定することができる。係止爪は、カラー又は本体カバーのいずれか一方に設け、他方に係止穴を設ければ良い。また、カラー又は本体カバーの一方に係止爪及び係止穴の双方を設け、他方にこれらと係止する係止穴及び係止爪の双方を設けることとしても良い。係止爪及び係止穴の形状・大きさは特に限定されず、互いに係止可能なものであれば良い。「カラー」とは、本体カバーや水栓本体など、水栓本体側の部材に対してハンドルにより固定される本体カバーとは別体のカバーの一部を言う。
【０００８】
また、カラーの長手方向の端部に、このような係止爪又は係止孔を設ける（請求項２）と、振動による振幅が大きくなりやすい長手方向の端部の振動を抑えることができる。
【発明の効果】
【０００９】
本発明は上記のように、係止爪及び係止穴により水栓本体又は本体カバーとカラーとを堅固に固定することができるので、大容量吐水時などにカラーが振動し不快な振動を発することを防止することができる。また、カラーに力が加わったような場合にもカラーが撓みがたいので、水栓本体又は本体カバーとカラーとの間に隙間が生じ難くすることができ水栓の美観を損ねないようにすることができる。
【発明を実施するための最良の形態】
【００１０】
次に、本発明のカラーの取付構造の実施の形態を図を参考にして詳細に説明する。本発明のカラーの取付構造２０は、内部に水栓本体などの機能部品を内蔵するカバー水栓１に用いられるものである。図１に示すように、カバー水栓１は、縦長矩形状の板状の背面部２と、背面部２の上端から正面側斜め上方に向けて屈曲連設されるとともに平面視正方形状の板状に形成される平面部３とが備えられて、全体形状が側面視ほぼ倒立Ｌ字状に形成されている。
【００１１】
平面部３の左右側面には、左に温度調節ハンドル４、右に切換ハンドル５が取り付けられている。また、平面部３下部には吐水口６が備えられており、平面部３の左側面の温度調節ハンドル４よりも奥側には、シャワーホースが接続されるエルボ（図示省略）が突設されている。そして、温度調節ハンドル４の操作により、適宜の温度に調節された混合水が、切換ハンドル５の操作により吐水口６又はシャワーのいずれかからの吐水及びその吐水量を調節されて吐出されるように設けられている。そして本取付構造２０では、後述するように、カラー２２，２４は、平面部３の両側においてハンドル４，５を用いて本体カバー２６に対して挟持固定されている。
【００１２】
図２から図４に示すように、カラー２２は、カバー水栓１の正面視右側面に取り付けられるものである。カラー２２は、下部を直線状の底面とし、上部の左寄り端部を円弧状に、右寄り端部を屈曲形状に形成し、左右方向が長手方向とされた横長形状に形成されている。そして、左寄りには、後述するように、水栓ボディ５０に収容固定される切換弁カートリッジ５２が挿通されるとともに、切換ハンドル５が回動自在に固定される挿通孔２５が開設されている。また、カラー２２の右寄りの裏面側の下部寄りには、後述する下部カバー４２の端面に係止される係止突起２７が突設されている。
【００１３】
図５に示すように、カラー２２の右寄りの裏面側の上部寄りには、カラー２２の本体裏面からほぼ垂直に立ち上がるように突設された板状の係止爪２８が設けられている。係止爪２８は、その中程において屈曲形成されたクランク状に形成されており、カラー２２裏面から立ち上がる立設部２９と、この立設部２９に対してカラー２２の右側端部方向に向けて屈曲連設される屈曲部３０と、さらに屈曲部３０に対して屈曲連設される係止部３１とから構成されている。この係止爪２８では、立設部２９はカラー２２裏面から９０度の角度に立設され、ついで屈曲部３０は立設部２９に対して８５．１度の角度に屈曲されて連設され、さらに係止部３１は屈曲部３０に対して９０度の角度に屈曲されて連設されている。
【００１４】
図６に示すように、カラー２２が取り付けられる本体カバー２６の側面には、カラー２２の外形とほぼ同一形状に開口された開口部３２が開設されている。図２に示すように、本体カバー２６を構成する上部カバー４０の正面側（図２及び図３における左側寄り）の下部には折り返し部３４が設けられている。また、上部カバー４０の背面側（図２及び図３における右側寄り）の下部には折り返し部３６が設けられている。折り返し部３６はカラー２２が開口部３２に取り付けられた際に係止爪２８の立設部２９及び係止部３１に対してほぼ平行となる角度に折り返されて形成されている。
【００１５】
そして折り返し部３６には、係止爪２８が係止される係止孔３８が設けられている。係止孔３８は、開口部３２にカラー２２が取り付けられた際に係止爪２８の係止部３１が折り返し部３６の外側に位置する係止孔３８周縁部に弾性的に圧着する部位に形成されている。よって、本取付構造２０においては、係止爪２８と係止孔３８とは、カバー水栓１の前後方向において係止される。また、弾性的に圧着するように係止爪２８が係止されることにより係止孔３８に確実に係止されるように構成されている。また、係止爪２８の屈曲部３０が係止孔３８に係止されることにより、上部カバー４０に対するカラー２２の位置決めがなされ、開口部３２に対してカラー２２を精緻に組み付けることができる。
【００１６】
なお、以上のカラー２２、並びにこれが取り付けられる上部カバー４０、折り返し部３４、折り返し部３６及び係止孔３８等の構成は、左右対称となること以外については、本体カバー２６の左側に取り付けられるカラー２４及び上部カバー４０の左側の部位についても同様である。
【００１７】
次いで、本取付構造２０によるカラー２２，２４の取付方法について説明する。図６に示すように、水栓ボディ５０内には、あらかじめ切換固定ナット５４によって、切換弁カートリッジ５２が固定されている。切換弁カートリッジ５２の先端には、内蔵する切換弁を駆動するために回動可能に突設されたスピンドル５３が設けられている。このスピンドル５３を挿通孔２５内に挿通させるようにしてカラー２２を本体カバー２６の開口部３２に取り付ける。この際に、前述したように、カラー２２の係止爪２８を上部カバー４０の係止孔３８に係止させるとともに、係止突起２７を下部カバー４２の端面に係止させる。そして、スピンドル５３を切換ハンドル５のボス（図示省略）にネジ止めするとともにカラー２２の挿通孔２５に切換ハンドル５を取り付けて、切換ハンドル５と切換固定ナット５４によってカラー２２を挟持固定する。さらにキャップ５６を切換ハンドル５に取り付ける。また、温度調節ハンドル４側のカラー２４についても同様に、温調固定ナット６０によって水栓ボディ５０に固定された温度調節弁カートリッジ５８のスピンドル５３に取り付けられる温度調節ハンドル４と温調固定ナット６０とにより挟持固定するとともに係止爪２８及び係止孔３８が係止され、係止突起２７が下部カバー４２端面に係止されて取り付けられる。
【００１８】
このような取付構造２０では、係止爪２８が係止孔３８に係止固定されているので、カバー水栓１に振動が発生するような場合であっても、カラー２２，２４は本体カバー２６に対して堅固に固定され、よってカラー２２，２４が不快な振動音を発生することはない。また、カラー２２，２４や本体カバー２６に力が加わった場合にも、折り返し部３６付近においてカラー２２，２４と本体カバー２６との間に隙間が生じることを防止できる。
【００１９】
なお、本発明は上記した実施の形態に限られるものではなく、本発明の趣旨の範囲内で種々の変更が可能である。例えば、係止爪２８及び係止孔３８は別の形状・大きさ・数などとすることも可能である。カラー２２，２４及び本体カバー２６の別の部位にこれらを設けても良い。また、カラー２２，２４側に係止孔３８を、本体カバー２６側に係止爪２８を設けることも可能である。また、カラー２２，２４及び本体カバー２６側の双方に、互いに係止される係止爪２８及び係止孔３８を設けても良い。
【図面の簡単な説明】
【００２０】
【図１】本発明のカラーの取付構造を用いた水栓の斜視図である。
【図２】カラーの取付構造の要部拡大斜視図である。
【図３】カラーの背面図である。
【図４】カラーの平面図である。
【図５】係止爪の拡大断面図である。
【図６】図１の水栓の一部分解斜視図である。
【符号の説明】
【００２１】
１；カバー水栓、２；背面部、３；平面部、４；温度調節ハンドル、５；切換ハンドル、６；吐水口、２０；取付構造、２２，２４；カラー、２５；挿通孔、２６；本体カバー、２７；係止突起、２８；係止爪、２９；立設部、３０；屈曲部、３１；係止部、３２；開口部、３４；折り返し部、３６；折り返し部、３８；係止孔、４０；上部カバー、４２；下部カバー、５０；水栓ボディ、５２；切換弁カートリッジ、５３；スピンドル、５４；切換固定ナット、５６；キャップ、５８；温度調節弁カートリッジ、６０；温調固定ナット。
【図１】
2008231874.tif 000003
【図２】
2008231874.tif 000004
【図３】
2008231874.tif 000005
【図４】
2008231874.tif 000006
【図５】
2008231874.tif 000007
【図６】
2008231874.tif 000008